(57)【特許請求の範囲】
【請求項１】
２極の電源から供給される電力を、負荷回路を駆動するための駆動電力に変換し、該駆動電力を該負荷回路へ供給するための駆動回路であって、
前記負荷回路へ前記駆動電力を出力するための第１、第２、第３および第４の端子を有するコネクタと、
前記電源の一方の極から前記コネクタの前記第１の端子へ至る第１の配線路、前記電源の他方の極から前記コネクタの前記第２の端子へ至る第２の配線路、前記電源の一方の極から前記コネクタの前記第３の端子へ至る第３の配線路、および前記電源の他方の極から前記コネクタの前記第４の端子へ至る第４の配線路を含む配線路群と、
前記第１の配線路上に挿入されている第１のスイッチング素子および前記第２の配線路上に挿入されている第２のスイッチング素子を含むスイッチ素子群と、
前記第３の配線路上に挿入されている第１のコンデンサおよび前記第４の配線路上に挿入されている第２のコンデンサを含むコンデンサ群とを有し、
前記第１のスイッチング素子と前記第２のスイッチング素子とは、所定周波数で交互にオン動作するように駆動されることを特徴とする駆動回路。
【請求項２】
２極の電源から供給される電力を、負荷回路を駆動するための駆動電力に変換し、該駆動電力を該負荷回路へ供給するための駆動回路であって、
前記負荷回路へ前記駆動電力を出力するための複数の第１の端子、複数の第２の端子、複数の第３の端子および複数の第４の端子を有するコネクタと、
前記電源の一方の極から前記コネクタの前記第１の端子のそれぞれへ至る複数の第１の配線路、前記電源の他方の極から前記コネクタの前記第２の端子のそれぞれへ至る複数の第２の配線路、前記電源の一方の極から前記コネクタの前記第３の端子のそれぞれへそれぞれ至る複数の第３の配線路、および前記電源の他方の極から前記コネクタの前記第４の端子のそれぞれへ至る複数の第４の配線路を含む配線路群と、
前記複数の第１の配線路上にそれぞれに挿入されている複数の第１のスイッチング素子および前記第複数の第２の配線路上にそれぞれ挿入されている複数の第２のスイッチング素子を含むスイッチ素子群と、
前記複数の第３の配線路上にそれぞれ挿入されている複数の第１のコンデンサおよび前記第４の配線路上にそれぞれ挿入されている複数の第２のコンデンサを含むコンデンサ群とを有し、
前記複数の第１のスイッチング素子と前記複数の第２のスイッチング素子とは、所定周波数で交互にオン動作するように駆動されることを特徴とする駆動回路。
【請求項３】
記録紙上の現像剤像を熱圧するための定着体と、前記定着体を発熱させるための誘導加熱手段と、２極の電源から供給される電力を、前記誘導加熱手段を駆動するための駆動電力へ変換し、該駆動電力を前記誘導加熱手段へ供給するための駆動回路とを備える定着装置であって、
前記駆動回路は、
前記誘導加熱手段へ前記駆動電力を出力するための第１、第２、第３および第４の端子を有するコネクタと、
前記電源の一方の極から前記コネクタの前記第１の端子へ至る第１の配線路、前記電源の他方の極から前記コネクタの前記第２の端子へ至る第２の配線路、前記電源の一方の極から前記コネクタの前記第３の端子へ至る第３の配線路、および前記電源の他方の極から前記コネクタの前記第４の端子へ至る第４の配線路を含む配線路群と、
前記第１の配線路上に挿入されている第１のスイッチング素子および前記第２の配線路上に挿入されている第２のスイッチング素子を含むスイッチ素子群と、
前記第３の配線路上に挿入されている第１のコンデンサおよび前記第４の配線路上に挿入されている第２のコンデンサを含むコンデンサ群とを有し、
前記第１のスイッチング素子と前記第２のスイッチング素子とは、所定周波数で交互にオン動作するように駆動されることを特徴とする定着装置。
【請求項４】
記録紙上の現像剤像を熱圧するための定着体と、前記定着体を発熱させるための誘導加熱手段と、２極の電源から供給される電力を、前記誘導加熱手段を駆動するための駆動電力へ変換し、該駆動電力を前記誘導加熱手段へ供給するための駆動回路とを備える定着装置であって、
前記駆動回路は、
前記誘導加熱手段へ前記駆動電力を出力するための複数の第１の端子、複数の第２の端子、複数の第３の端子および複数の第４の端子を有するコネクタと、
前記電源の一方の極から前記コネクタの前記第１の端子のそれぞれへ至る複数の第１の配線路、前記電源の他方の極から前記コネクタの前記第２の端子のそれぞれへ至る複数の第２の配線路、前記電源の一方の極から前記コネクタの前記第３の端子のそれぞれへそれぞれ至る複数の第３の配線路、および前記電源の他方の極から前記コネクタの前記第４の端子のそれぞれへ至る複数の第４の配線路を含む配線路群と、
前記複数の第１の配線路上にそれぞれに挿入されている複数の第１のスイッチング素子および前記第複数の第２の配線路上にそれぞれ挿入されている複数の第２のスイッチング素子を含むスイッチ素子群と、
前記複数の第３の配線路上にそれぞれ挿入されている複数の第１のコンデンサおよび前記第４の配線路上にそれぞれ挿入されている複数の第２のコンデンサを含むコンデンサ群とを有し、
前記複数の第１のスイッチング素子と前記複数の第２のスイッチング素子とは、所定周波数で交互にオン動作するように駆動されることを特徴とする定着装置。
【発明の詳細な説明】
【技術分野】
【０００１】
本発明は、２極の電源から供給される電力を、負荷回路を駆動するための駆動電力に変換し、該駆動電力を該負荷回路へ供給するための駆動回路およびそれを用いる定着装置に関する。
【背景技術】
【０００２】
一般に、複写機やプリンタなどの画像形成装置に使用されるコネクタ、電線などの電気部品に対しては、定格電流値が規定されている。このような電気部品に定格電流値を超える電流を流すと、電気部品は急速に劣化するので、電気部品を定格電流の範囲で使用する必要がある。
【０００３】
また、電子写真方式の画像形成装置としては、セラミックヒータ、ハロゲンヒータなどが熱源として用いられる定着装置が設けられているものが多いが、近年、上記のような定着装置に代えて誘導加熱方式の定着装置が導入される場合が増している（例えば、特許文献１〜３を参照）。
【特許文献１】特開２００１−２４２７３４号公報
【特許文献２】特開２００１−２４９５６３号公報
【特許文献３】特開２００２−３５１２３９号公報
【発明の開示】
【発明が解決しようとする課題】
【０００４】
誘導加熱方式は、セラミックヒータ、ハロゲンヒータなどの熱源として用いる方式に比して、力率が小さいものである。そのため、同様の発熱量を得るためには、電力が電流と電圧の実効値の積に力率を乗じたものであるので、電流または電圧を大きくする必要がある。しかしながら、大電流を流すためのコネクタの種類は、少なくなく、またその価格は高価であり、外形サイズが極端に大きい。そのため、定格電流が小さい一般的なコネクタを使用することが望まれる。
【０００５】
本発明の目的は、コネクタに対してその定格電流以上の電流を安全に流すことができる駆動回路およびそれを用いる定着装置を提供することにある。
【課題を解決するための手段】
【０００６】
本発明は、上記目的を達成するため、２極の電源から供給される電力を、負荷回路を駆動するための駆動電力に変換し、該駆動電力を該負荷回路へ供給するための駆動回路であって、前記負荷回路へ前記駆動電力を出力するための第１、第２、第３および第４の端子を有するコネクタと、前記電源の一方の極から前記コネクタの前記第１の端子へ至る第１の配線路、前記電源の他方の極から前記コネクタの前記第２の端子へ至る第２の配線路、前記電源の一方の極から前記コネクタの前記第３の端子へ至る第３の配線路、および前記電源の他方の極から前記コネクタの前記第４の端子へ至る第４の配線路を含む配線路群と、前記第１の配線路上に挿入されている第１のスイッチング素子および前記第２の配線路上に挿入されている第２のスイッチング素子を含むスイッチ素子群と、前記第３の配線路上に挿入されている第１のコンデンサおよび前記第４の配線路上に挿入されている第２のコンデンサを含むコンデンサ群とを有し、前記第１のスイッチング素子と前記第２のスイッチング素子とは、所定周波数で交互にオン動作するように駆動されることを特徴とする駆動回路を提供する。
【０００７】
また、本発明は、上記目的を達成するため、２極の電源から供給される電力を、負荷回路を駆動するための駆動電力に変換し、該駆動電力を該負荷回路へ供給するための駆動回路であって、前記負荷回路へ前記駆動電力を出力するための複数の第１の端子、複数の第２の端子、複数の第３の端子および複数の第４の端子を有するコネクタと、前記電源の一方の極から前記コネクタの前記第１の端子のそれぞれへ至る複数の第１の配線路、前記電源の他方の極から前記コネクタの前記第２の端子のそれぞれへ至る複数の第２の配線路、前記電源の一方の極から前記コネクタの前記第３の端子のそれぞれへそれぞれ至る複数の第３の配線路、および前記電源の他方の極から前記コネクタの前記第４の端子のそれぞれへ至る複数の第４の配線路を含む配線路群と、前記複数の第１の配線路上にそれぞれに挿入されている複数の第１のスイッチング素子および前記第複数の第２の配線路上にそれぞれ挿入されている複数の第２のスイッチング素子を含むスイッチ素子群と、前記複数の第３の配線路上にそれぞれ挿入されている複数の第１のコンデンサおよび前記第４の配線路上にそれぞれ挿入されている複数の第２のコンデンサを含むコンデンサ群とを有し、前記複数の第１のスイッチング素子と前記複数の第２のスイッチング素子とは、所定周波数で交互にオン動作するように駆動されることを特徴とする駆動回路を提供する。
【０００８】
また、本発明は、上記目的を達成するため、記録紙上の現像剤像を熱圧するための定着体を発熱させるための誘導加熱手段へ駆動電力を供給するための駆動回路として、上記駆動回路のいずれかを用いる定着装置を提供する。
【発明の効果】
【０００９】
本発明によれば、コネクタに対してその定格電流値以上の電流を安全に流すことができる。その結果、定格電流値が比較的小さく、一般に普及しているコネクタを使うことができ、ひいては、コストの低減、コネクタの選択肢の拡大などの効果を得ることができる。
【発明を実施するための最良の形態】
【００１０】
以下、本発明の実施の形態について図面を参照しながら説明する。
【００１１】
（第１の実施の形態）
図１は本発明の第１の実施の形態に係る駆動回路の構成を示す回路図である。
【００１２】
駆動回路１は、図１に示すように、負荷回路２を駆動するための駆動電力を、配線回路３を介して負荷回路２へ供給する。
【００１３】
駆動回路１は、プリント基板（図示せず）を備え、このプリント基板には、２つの電極８ａ，８ｂを有する電源８、スイッチング素子である２つのＦＥＴ９，１０、２つのコンデンサ１１，１２、および４つの端子４ａ〜４ｄを有するコネクタ４が搭載されている。電源８は例えばＤＣ１００Ｖの電源である。また、上記プリント基板には、電源８と各ＦＥＴ９，１０間、電源８と各コンデンサ１１，１２間、各ＦＥＴ９，１０とコネクタ４間、各コンデンサ１１，１２とコネクタ４間を接続するための複数の配線路１４〜１９が形成されている。
【００１４】
ＦＥＴ９においては、そのドレインｄが配線路１８を介して電極８ａと接続され、ソースｓが配線路１４を介してコネクタ４の端子４ａと接続されている。また、ＦＥＴ９のゲートｇには、制御回路（図示せず）から駆動信号が供給され、この駆動信号によりＦＥＴ９は、オン、オフ動作をする。ＦＥＴ１０においては、そのドレインｄが配線路１９を介して電極８ｂと接続され、ソースｓが配線路１５を介してコネクタ４の端子４ｂと接続されている。また、ＦＥＴ１０のゲートｇには、上記制御回路から駆動信号が供給され、この駆動信号によりＦＥＴ１０は、オン、オフ動作をする。
【００１５】
本実施の形態においては、スイッチング素子として、ＦＥＴ９，１０が用いられているが、これに代えて、ＩＧＢＴなどの他のスイッチング素子を用いることができる。
【００１６】
コンデンサ１１とコンデンサ１２とは、同じ容量を有する。コンデンサ１１は、電源８の電極８ａとコネクタ４との間に挿入されている。コンデンサ１１の一方の端子は、配線路１８を介して電源８の電極８ａと接続され、他方の端子は配線路１７を介してコネクタ４の端子４ｄと接続されている。コンデンサ１２は、電源８の電極８ｂとコネクタ４との間に挿入されている。コンデンサ１２の一方の端子は、配線路１９を介して電源８の電極８ｂと接続され、他方の端子は配線路１６を介してコネクタ４の端子４ｃと接続されている。
【００１７】
負荷回路２には、駆動回路１から供給される電力により駆動される被駆動部（以下、負荷という）１３およびコネクタ７が設けられている。負荷１３は、インダクタンスと抵抗の合成のインピーダンスを有する。ここで、負荷１３には、厳密には、微量のキャパシタンス成分が含まれるが、これは、本実施の形態においては無視する。負荷１３は、２つの端子１３ａ，１３ｂを有する。コネクタ７は、４つの端子７ａ〜７ｄを有する。コネクタ７の各端子７ａ，７ｂは、それぞれ、対応する電線２４，２５を介して、負荷１３の端子１３ａと接続されている。コネクタ７の各端子７ｃ，７ｄは、それぞれ、対応する電線２６，２７を介して、負荷１３の端子１３ｂと接続されている。
【００１８】
配線回路３は、駆動回路１のコネクタ４と嵌合可能に構成されたコネクタ５と、負荷回路２のコネクタ６と嵌合可能に構成されたコネクタ６とを有する。コネクタ５には、４つの端子５ａ〜５ｄが設けられており、コネクタ５がコネクタ４と嵌合されると、各端子５ａ〜５ｄは、コネクタ４の対応する端子４ａ〜４ｄと電気的に接続される。同様に、コネクタ６には、４つの端子６ａ〜６ｄが設けられており、コネクタ６がコネクタ７と嵌合されると、各端子６ａ〜６ｄは、コネクタ７の対応する端子７ａ〜７ｄと電気的に接続される。
【００１９】
次に、上記駆動回路１の動作について図２を参照しながら説明する。図２は図１の駆動回路１の動作タイミングを示す図である。
【００２０】
上記駆動回路１においては、図２に示すように、所定周期の１周期の間で、ＦＥＴ９とＦＥＴ１０とが交互にオン、オフ動作をするように、ＦＥＴ９，１０のそれぞれに対して駆動信号が供給される。ＦＥＴ９とＦＥＴ１０とが交互にオン、オフ動作をすると、負荷１３には電流Ｉ５が図１に示す方向に流れ、その電流波形は、図２に示すような、ピーク電流値がＩｐである正弦波となる。
【００２１】
配線路１４には、電流Ｉ１が図１に示す方向に流れ、その電流波形は、図２に示すような、ピーク電流値がＩｐである正弦波波形となる。電流Ｉ１は、ＦＥＴ９がオン動作状態にあるときに流れる。すなわち、電流Ｉ１は、１周期中のうち半周期のみ流れる電流となる。この電流Ｉ１の実効値は、電流Ｉ５の実効値の１／２である。
【００２２】
配線路１５には、電流Ｉ２が図１に示す方向に流れ、その電流波形は、図２に示すような、ピーク電流値がＩｐである正弦波波形となる。電流Ｉ２は、ＦＥＴ１０がオン動作状態にあるときに流れる。すなわち、電流Ｉ２は、１周期中のうち半周期のみ流れる電流となる。この電流Ｉ２の実効値は、電流Ｉ５の実効値の１／２である。このように、電流Ｉ２と電流Ｉ１の実効値の合計が電流Ｉ５の実効値になるように、電流Ｉ５は、電流Ｉ１，Ｉ２のそれぞれに分配されることになる。
【００２３】
配線路１６には、電流Ｉ３が図１に示す方向に流れ、その電流波形は、図２に示すような、ピーク電流値がＩｐの１／２である正弦波波形となる。電流Ｉ３の実効値は、電流Ｉ５の実効値の１／２である。配線路１７には、電流I４が図１に示す方向に流れ、その電流波形は図２に示すような、ピーク電流値がＩｐの１／２である正弦波波形となる。電流Ｉ４の実効値は、電流Ｉ５の実効値の１／２である。このように、電流Ｉ３と電流Ｉ４の実効値の合計が電流Ｉ５の実効値になるように、電流Ｉ５は、電流Ｉ３，Ｉ４のそれぞれに分配されることになる。
【００２４】
ここで、電流Ｉ３と電流Ｉ４とが同じ電流になる原理を説明する。まず、コンデンサ１１においては、負荷側の端子（配線路１７と接続されている端子）の電位が、負荷１３の端子１３ｂの電位とコンデンサ１１の同じである。この電位をＶとすると、電流Ｉ３は、次の（１）式により表される。
【００２５】
Ｉ３＝（コンデンサ１１の容量）×（ｄＶ／ｄｔ）                    …（１）
同様に、コンデンサ１２においては、負荷側の端子（配線路１６と接続されている端子）の電位が、負荷１３の端子１３ｂの電位と同じである。よって、電流Ｉ４は、次の（１）式により表される。
【００２６】
Ｉ４＝（コンデンサ１２の容量）×（ｄＶ／ｄｔ）                    …（２）
また、コンデンサ１１の容量は、コンデンサ１２の容量と同じであるので、
Ｉ３＝Ｉ４
となる。
【００２７】
このように、負荷１３に流れる電流Ｉ５がその入力側では電流Ｉ１と電流Ｉ２に分配され、出力側ではまた電流I３と電流Ｉ４に分配されることによって、各コネクタ４，５，６，７の各端子には、それぞれ、負荷１３の電流Ｉ５の１／２の電流が流れることになる。これにより、負荷１３に流す電流に対して、その１／２の定格電流が規定されているコネクタ４，５，６，７を使用することができる。その結果、定格電流値が比較的小さく、一般に普及しているコネクタを使うことができ、ひいては、コストの低減、コネクタの選択肢の拡大などの効果を得ることができる。
【００２８】
次に、上記駆動回路１の適用例について図３〜図６を参照しながら説明する。図３は図１の駆動回路１が適用されている複写機の定着装置の構成を模式的に示す図、図４は図３の定着装置に設けられているコイル３０の配置を模式的に示す上面図、図５は図３の定着装置に設けられているコイルを駆動制御するための制御構成を示すブロック図、図６は図５のマイコンによる温調サブルーチンの手順を示すフローチャートである。
【００２９】
複写機として、図３に示すような誘導加熱方式の定着装置が設けられているものがある。この誘導加熱方式の定着装置は、１対のベルト３１，３６を有する。ベルト３１は、ニッケル製のベルトで、その表面には、ゴム層がコーティングされている。ベルト３１は、ローラ３２とローラ３３とに掛け渡されており、ローラ３２は、駆動モータ（図示せず）により図中の矢印が示す方向（時計方向）へ回転駆動される。ベルト３６は、ローラ３５とローラ３４とに掛け渡されている。ベルト３１とベルト３６とは互いに接触され、ベルト３６は、ベルト３１の駆動に従動して駆動される。両ベルト３１，３６間には、記録紙３８を図中の矢印が示す方向へ狭持搬送するためのニップ部が形成される。
【００３０】
ベルト３１の裏面側には、ベルト３１の温度検知をするサーミスタ３７が設けられている。また、ベルト３１の表面側には、図４に示すように、コイル３０が該ベルト３１と対向するように配置されており、ベルト３１は、コイル３０により誘導加熱される。ここで、コイル３０は、図１に示す負荷１３に相当するものであり、このコイル３０には、図４に示すように、駆動回路１（図１を参照）からの電力を受けるための端子１３ａ，１３ｂが設けられている。このコイル３０は、サーミスタ３７により検知される温度すなわちベルト３１の温度が所定の定着温度になるように駆動回路１により駆動される。これにより、ベルト３１の温度を、所定の定着温度に保持することができる。
【００３１】
この定着装置においては、表面にトナー像が転写されている記録紙３８が上記ベルト３１，３６間のニップ部へ導入され、狭持搬送される。この際、記録紙３８の表面のトナー像は熱圧されて溶融され、記録紙３８の表面に定着される。
【００３２】
上記定着装置におけるベルト３１の温度制御は、図５に示すように、マイコン４０（マイクロコンピュータ）により、駆動回路１のＦＥＴ９，１０のスイッチング動作（オン、オフ動作）を制御することにより実現される。具体的には、マイコン４０には、ＦＥＴ−ＩＦ回路４１，４２、温度検知回路４３及びその他回路４４が接続されている。ＦＥＴ−ＩＦ回路４１は駆動回路１のＦＥＴ９に対して駆動信号を供給する。ＦＥＴ−ＩＦ回路４２は駆動回路１のＦＥＴ１０に対して駆動信号を供給する。温度検知ＩＦ回路４３はサーミスタ３７からの温度検知信号を取り込む。マイコン４０は、サーミスタ３７から温度検知ＩＦ回路４３を介して取り込まれた温度検知信号に基づいて、駆動回路１のＦＥＴ９，１０に対する駆動信号の供給を指示するための指示信号を各ＦＥＴ−ＩＦ回路４１，４２へ出力する。各ＦＥＴ−ＩＦ回路４１，４２は、マイコン４からの指示信号に基づいて駆動回路１のＦＥＴ９，１０に対する駆動信号を供給する。
【００３３】
マイコン３０は、ベルト３１の温度を制御するために、図６に示す温調サブルーチンを実行する。このサブルーチンは、マイコン３０の内部メモリに格納されているプログラムに従って実行されるものである。
【００３４】
温調サブルーチンでは、マイコン３０は、まず、サーミスタ３７の検知温度が下限基準温度（ここでは、例えば４５１Ｋとする）より低いか否かを判定する（ステップＳ１）。ここで、サーミスタ３７の検知温度が上記下限基準温度より低いと、マイコン３０は、ＦＥＴ９，１０のスイッチング周波数を下げるように、各ＦＥＴ−ＩＦ回路４１，４２を介して、ＦＥＴ９，１０のスイッチング動作を制御する（ステップＳ３）。これにより、コイル３７に流れる電流が増し、コイル３７に発生する磁界が強くなり、ベルト３１の温度が上昇する。そして、マイコン３０は、本サブルーチンを抜ける（ステップＳ５）。
【００３５】
上記ステップＳ１においてサーミスタ３７の検知温度が上記下限基準温度より低くないと判定された場合、マイコン３０は、サーミスタ３７の検知温度が上限基準温度（ここでは、例えば４５５Ｋとする）より高いか否かを判定する（ステップＳ１）。ここで、サーミスタ３７の検知温度が上記上限基準温度より高いと、マイコン３０は、ＦＥＴ９，１０のスイッチング周波数を上げるように、各ＦＥＴ−ＩＦ回路４１，４２を介して、ＦＥＴ９，１０のスイッチング動作を制御する（ステップＳ４）。これにより、コイル３７に流れる電流が減り、コイル３７二発生する磁界が弱くなり、ベルト３１の温度が低下する。そして、マイコン３０は、本サブルーチンを抜ける（ステップＳ５）。
【００３６】
上記ステップＳ３においてサーミスタ３７の検知温度が上記上限基準温度より高くないと判定された場合、マイコン３０は、ベルト３１の温度が上記下限基準温度と上記上限基準温度との間にあると判断して、何ら処理を行わずに、本サブルーチンを抜ける(ステップＳ６)。
【００３７】
（第２の実施の形態）
本発明の第２の実施の形態について図７を参照しながら説明する。図７は本発明の第２の実施の形態に係る駆動回路の構成を示す回路図である。
【００３８】
本実施の形態の駆動回路１においては、図７に示すように、基板（図示せず）に、８つの端子を有するコネクタ４と、電源８の一方の電極８ａからコネクタ４の４つの端子へそれぞれ至る４つの配線路が設けられている。また、電源８の他方の電極８ｂａからコネクタ４の残りの４つの端子へそれぞれ至る４つの配線路が設けられている。電源８の一方の電極８ａからコネクタ８の４つの端子へそれぞれ至る４つの配線路のうち、２つの配線路には、それぞれＦＥＴ９ａ，９ｂが挿入され、残り２つの配線路には、それぞれコンデンサ１１ａ，１１ｂが挿入されている。電源８の他方の電極８ｂからコネクタ４の４つの端子へそれぞれ至る４つの配線路のうち、２つの配線路には、それぞれＦＥＴ１０ａ，１０ｂが挿入され、残り２つの配線路には、それぞれコンデンサ１２ａ，１２ｂが挿入されている。
【００３９】
ＦＥＴ９ａ，９ｂは同時にオン動作し、ＦＥＴ１０ａ，１０ｂは同時にオン動作し、それぞれのオン動作は、所定周波数で交互に繰り返される。
【００４０】
ＦＥＴ９ａ，９ｂ，１０ａ，１０ｂがオン動作したとき、ＦＥＴ９ａ，９ｂ，１０ａ，１０ｂを抵抗と見なすことができる。ここで、ＦＥＴ９ａ，ＦＥＴ９ｂ，１０ａ，１０ｂは、同一種のＦＥＴであり、ＦＥＴ９ａ，９ｂ，１０ａ，１０ｂのオン動作時の抵抗値はほぼ同じになる。よって、本実施の形態においては、ＦＥＴ９ａに流れる電流Ｉ１ａは、上記第１の実施の形態のＦＥＴ９に流れる電流Ｉ１の１／２になり、同様に、ＦＥＴ９ｂに流れる電流Ｉ１ｂは、電流Ｉ１の１／２になる。また同様に、ＦＥＴ１０ａに流れる電流Ｉ２ａは、上記第１の実施の形態のＦＥＴ１０に流れる電流Ｉ２の１／２になり、同様に、ＦＥＴ１０ｂに流れる電流Ｉ２ｂは、電流Ｉ２の１／２になる。
【００４１】
また、コンデンサ１１ａ，１１ｂ，１２ａ，１２ｂとして同一容量を有するものを選択すると、コンデンサ１１ａ，１１ｂのそれぞれに流れる電流Ｉ３ａ，Ｉ３ｂは、上記第１の実施の形態のコンデンサ１１に流れる電流Ｉ３の１／２になる。同様に、コンデンサ１２ａ，１２ｂのそれぞれに流れる電流Ｉ４ａ，Ｉ４ｂは、上記第１の実施の形態のコンデンサ１２に流れる電流Ｉ４の１／２になる。
【００４２】
上記電流Ｉ１ａ，Ｉ１ｂ，Ｉ２ａ，Ｉ２ｂ（Ｉ３ａ，Ｉ３ｂ，Ｉ４ａ，Ｉ４ｂ）のそれぞれは、コネクタ４、配線回路３のコネクタ５，６および負荷回路２のコネクタ７のそれぞれの端子を介して、負荷１３２供給される。よって、本実施の形態によれば、コネクタ４，５，６，７に、負荷１３に流す電流の４分の１の定格電流のコネクタを使用することができる。
【００４３】
また、本実施の形態の駆動回路１を、上記第１の実施の形態で述べたように、定着装置のコイルの駆動回路として用いることができる。
【００４４】
なお、定着装置は図３に示すようなベルト形式を用いた構成に限らず、ローラ形式を用いた構成であってもよい。
【図面の簡単な説明】
【００４５】
【図１】本発明の第１の実施の形態に係る駆動回路の構成を示す回路図である。
【図２】図１の駆動回路１の動作タイミングを示す図である。
【図３】図１の駆動回路１が適用されている複写機の定着装置の構成を模式的に示す図である。
【図４】図３の定着装置に設けられているコイル３０の配置を模式的に示す上面図である。
【図５】図３の定着装置に設けられているコイルを駆動制御するための制御構成を示すブロック図である。
【図６】図５のマイコンによる温調サブルーチンの手順を示すフローチャートである。
【図７】本発明の第２の実施の形態に係る駆動回路の構成を示す回路図である。
【符号の説明】
【００４６】
１  駆動回路
２  負荷回路
３  配線回路
４，５，６，７  コネクタ
８  電源
９，９ａ，９ｂ，１０，１０ａ，１０ｂ  ＦＥＴ
１１，１１ａ，１１ｂ，１２，１２ａ，１２ｂ  コンデンサ
１３  負荷
３０  コイル
３１  ベルト
３２，３３，３４，３５  ローラ
【図１】
0004652943.tif 000002
【図２】
0004652943.tif 000003
【図３】
0004652943.tif 000004
【図４】
0004652943.tif 000005
【図５】
0004652943.tif 000006
【図６】
0004652943.tif 000007
【図７】
0004652943.tif 000008